(57)【要約】【課題】十字継手である自在継手は、３０度以上曲がると回転力がかなり落ちて３５度角以上曲がると回転力を伝えなくなる。曲げ角が６０〜７０度角曲がっても回転力をスムーズに伝えたい。【解決手段】十字継手である自在継手の外側にスライドギヤ１４，１８を設けて自在継手の曲げが大きくなると２つのスライドギヤが噛み合って各各押し合うのでその力によりスライドクラッチが外れて十字継手が回転自由になる。十字継手を軸芯にしてスライドギヤが回転し回転力を伝える。各各のスライドギヤの１方を雌ギヤ１５とし他方を雄ギヤ１６とする。【選択図】図１
2007107710.tif 000002
【特許請求の範囲】
【請求項１】
十字継手（１）．（２）の先端を回転自由にして十字持うで（５）．（２５）で支持し十字基体（４Ａ）．（１９Ａ）に固着し、入力軸（２７）．及び出力軸（２８）の十字継手（１）側の方に空室（３７）．（３８）を設けて十字基体（４Ａ）．（１９Ａ）を回転自由にして入れ十字基体に出入止め（１３）．（１７）を設け、入力軸（２７）．出力軸に（２８）に係合回転するクラツチ歯（４）．（１９）がひっかかっていない限り十字基体（４Ａ）（１９Ａ）が回転自由とする事を特徴とした７０度角自在継手。
【請求項２】
固定板（８４）の中に空部を設けてその中に遊部（８３）．（９３）．（８５）．（９２）を設け、遊部と可動凸部（９７）．（８８）を連結し、固定板（８４）に直結する固定凸部（９４）．（８９）と可動凸部を並べて止め板（８１）．（９６）．（８７）．（９０）で挟んでバネで押す事を特徴とした可動クラッチ板。
【請求項３】
十字基体（４Ａ）．（１９Ａ）の十字持うで（５）．（２５）の反対側にクラッチ歯（４）．（１９）を設けるか又は可動クラッチ板内の遊部に可動歯板（７Ａ）．（３３Ａ）を固着した可動クラッチ歯（７）．（３３）を設ける事を特徴とした請求項２記載の７０度角自在継手。
【請求項４】
スライド板（８）．（２１）．（１０６）．（６２）の複数個所にスライドひっかけ（１２）．（３１）．（２０）．（３２）を固着する事を特徴とした請求項３記載の７０度角自在継手。
【請求項５】
スライド板（８）．（６２）．（１０２）．（２１）の中に１方をスライド板に固着した固定凸部（６６）．（７２）．（１０６）．（１１２）を設け、他方に可動凸部（７５）．（６７）．（１０７）．（１１５）を遊部（７７）．（７８）．（７９）．（８０）．（１１７）．（１１８）．（１１９）．（１２０）に連結し、固定凸部（６６）．（７２）．（１０６）．（１１２）と可動凸部（７５）．（６７）．（１０７）．（１１５）を並べて外側から止め板（６０）．（６５）．（６８）．（７４）．（１００）．（１０５）．（１０８）．（１１４）．で挟んでバネ（６４）．（６９）．（７３）．（７６）．（１０４）．（１０９）．（１１３）．（１１６）で押す事を特徴とした請求項５記載の７０度角自在継手。
【請求項６】
ひっかけ回転軸（２９）．（３０）の中をひっかかりを設けて空室（３７）．（３８）を設け空室内にスライド板（８）．（２１）（６２）．（１０２）を設け、スライド板内に遊部（７７）．（７８）．（７９）．（８０）．（１１７）．（１１８）．（１１９）．（１２０）を設け、遊部に可動歯板（７Ａ）．（３３Ａ）を固着した可動クラッチ板又はスライド板にクラッチ歯（４）．（１９）のどちらか１方を固着した事を特徴とした請求項４、５記載の７０度角自在継手。
【請求項７】
ひっかけ回転軸（２９）．（３０）の外側にスライドギヤ（６）．（１４）．（１８）．（２４）を設ける事を特徴とした７０度角自在継手。
【請求項８】
ひっかけ回転軸（２９）．（３０）に止め（３４）．（３５）を設ける事を特徴とした請求項７記載の７０度角自在継手。
【請求項９】
１方のスライドギヤの先端を雌ギヤ（１５）とし他方のスライドギヤの先端を雄ギヤ（１６）．（２６）とする事を特徴とした７０度角自在継手。
【請求項１０】
スライドギヤ（６）．（１４）．（１８）（２４）及びスライド板（８）．（２１）をバネ（１１）．（２２）により押す手段とした事を特徴とした７０度角自在継手。
【発明の詳細な説明】
【技術分野】
【０００１】入力軸と出力軸の間に十字継手があり入力軸と出力軸の曲げ角度が３０度以上曲がると回転しにくくなるので略３０度以上曲がるとスライドギヤの歯が噛み合いそして各各のスライドギヤが各各押されてその力によりスライドクラッチを押してひっかかりが外れて十字継手に連結した十字基体と入力軸及び出力軸と回転自由になる。
【背景技術】
【０００２】十字継手の１方の対称棒を入力軸側の十字持うでに回転自由に支持し、他方の対称棒を出力軸側の十字持うでに回転自由に支持していた。
【発明の開示】
【発明が解決しようとする課題】
【０００３】十字継手に連結する入力軸と出力軸の折れ角が３０度以上曲がると回転力に抵抗がかかり出力軸が回転しなくなる。自在継手を７０度位曲げても回転力を落さない
【課題を解決するための手段】
【０００４】請求項１は、十字継手の対称棒を回転自由にして十字持うでで支持し十字基体に固定させるそして十字基体を入力軸の先端に空室を設けて中に入れて十字基体の根元部にクラッチ歯又は遊部にクラッチ歯を固着した可動クラッチ歯を連結する。そしてクラッチ歯又は可動クラッチ歯と入力軸に連結するスライドクラッチの歯と噛み合っていない限り回転自由とする。十字継手の残りの対称棒を他方の十字持うでで回転自由にして支持し他方の十字基体に固定させる。そして他方の十字基体を出力軸の先端に空室を設けて中に入れて十字基体の根元部にクラッチ歯又は遊部にクラッチ歯を固着した可動クラッチ歯と連結する。クラッチ歯又は可動クラッチ歯と出力軸に連結するスライドクラッチの歯と噛み合っていない限り回転自由とする。【０００５】円形の可動クラッチの固定板の中に空部を設けて空部の端に空を設けて遊部を入れて遊部と可動凸部を連結させ、固定板と固定凸部を連結させ可動凸部と固定凸部を並べて止め板で挟んで外側からバネで押す。固定板の方を十字基体に固着し遊部を可動クラッチ歯に固着する。【０００６】十字基体の十字持うでの反対側の根元部にクラッチ歯又は可動クラッチ歯を固着する。【０００７】スライド板の２個所か３個所等間隔でスライドひっかけを固着してひっかけ回転軸の回転方向に凹凸を設けて凹部にひっかけ回転軸と平行に穴を設けてスライドひっかけをひっかけ回転軸の凸部の出まで通す。スライド板はスライド可とする。【０００８】ひっかけ回転軸の中に空室を設け空室の内壁は回転方向に凹凸を設けてスライド板にも凹凸を設けて空室に嵌める。スライド板の中に空部を設けスライド板に固着した固定凸部を設け、スライド板に空部を設けて空部の端に空をもたせて遊部を設け遊部と可動凸部を連結し固定凸部と可動凸部を並べて止め板で挟んで外側からバネにより押す。【０００９】ひっかけ回転軸の内側と外側に回転方向に凹凸を設けてひっかけ回転軸の中を空室にし空室にスライド板の外周を凹凸にして空室に嵌めスライド板内に空部を設けて空部に遊部を空を設けて入れる。スライド板内の遊部に可動クラッチ歯を固着した可動クラッチ板にするか又はスライド板にクラッチ歯を固着したクラツチ歯のどちらか１方とする。十字基体の根元部にクラッチ歯を固着した時はスライド板に可動クラッチ板を固着する。【００１０】ひっかけ回転軸の外側にスライドギヤを設ける。スライドギヤを十字継手側にバネで押す。スライドギヤはひっかけ回転軸が回転すると回転しそしてスライド可とする。スライドギヤは十字継手側にギヤを設ける。入力軸と出力軸が曲がって角度が大きくなると入力軸側のスライドギヤと出力軸側のスライドギヤの歯が噛み合いながらスライドギヤを押すのでそれにつれてスライドひっかけを押すのでスライドひっかけに連動する可動クラッチ歯が引っ込み各各のクラッチ歯が外れて入力軸と十字基体が回転自由になりそして出力軸と十字基体が回転自由となる。【００１１】ひっかけ回転軸の外側の先端部の凹部の窪み部の所を窪み部を設けないで凸部の出まで盛る。【００１２】各各のスライドギヤの先端のギヤ部の１方を凹部の中の窪み部に歯を設ける。淵に歯を設けないそして他方を雄ギヤとする。雌ギヤの淵と淵の間に歯を設けるので淵の部分に歯が噛み合わない。【００１３】スライドギヤ及びスライド板をバネにより押す。
【発明の効果】
【００１４】通常にスライドクラッチをバネで押す事によりスライドクラッチの歯と十字基体の歯が噛み合っているので入力軸からスライドクラッチそして十字基体そして十字継手そして十字基体そしてスライドクラッチそして出力軸と回転力が伝わる。【００１５】入力軸と出力軸が曲がって曲げ角が４０度以上大きくなるにつれて十字継手が回転しなくなる。入力軸と出力軸の曲げ角が３０度角以上になるにつれて入力軸側のスライドギヤと出力軸側のスライドギヤが噛み合って互いに押し合ってスライドギヤが引っ込む事によりスライドひっかけをひっかけて引っこむのでスライドひっかけに連動する可動クラッチ歯と十字基体に固着したクラッチ歯が外れて各各の十字基体が回転自由とする。【００１６】十字基体が回転自由になる替りにスライドギヤが噛み合うので十字継手を中心軸にしてスライドギヤが入力軸から出力軸へ回転力を伝える。【００１７】大きく曲がった入力軸と出力軸の曲げ角がしだいに小さくなると各各スライドギヤがバネにより戻り十字基体を固着したクラッチ歯と入力軸又は出力軸に連動した可動クラッチ歯と噛み合う。可動クラッチ歯は遊部を介する事によりクラッチ歯と噛み合う時可動クラッチが左右のどちらかに動いてクラッチ歯と噛み合う。【００１８】入力軸側のスライドギヤの淵に出力軸側のスライドギヤの雄ギヤがひっかかって入力軸側のスライドギヤの引っ込み距離と出力軸側のスライドギヤの引っ込み距離を同じくする事が出来る。入力軸側のスライドギヤと出力軸側のスライドギヤを横ずれさせない。
【発明が実施するための最良の形熊】
【００１９】入力軸の先端と出力軸の後端に空室を設けて空室の奥の方に軸と平行にひっかかりを設けてバネを入れてスライド板を入れスライド板に空部を設けて空部に遊部を入れ遊部と遊部の間を連結体でつなぎ連結体の中程あたりに可動凸部を設けそしてスライド板に固着して可動凸部と同位置に固定凸部を有し可動凸部と固定凸部を止め板で挟んで外側からバネで押す。そして遊部を可動クラッチ歯と固着する。スライド板に固着して２個所か３個所スライドひっかけを設ける。スライドひっかけはひっかけ回転軸の外廻りの凹部に穴を設けてひっかけ回転軸の外廻りの凸部の出まで通す。固定凸部はスライド板に固着する。
【００２０】入力軸及び出力軸の空室の入口側の方を内面なめらかにし出入止めを設けて十字基体を入れ十字基体の奥の方にクラッチ歯を固着する。十字基体に出入止めを設け入力軸及び出力軸の出入止めに嵌める。十字基体の外側の方に十字持うでを固着して十字持うでの先端に十字継手を回転自由にして対称棒を支持する。そして十字継手の残りの対称棒を出力軸側の十字持うでで回転自由に支持する。十字持うでを十字基体の外側の方に固着する。
【００２１】入力軸及び出力軸の十字継手側の外廻りに各各の軸と平行にひっかかりを設けてバネを止めるひっかけを入力軸及び出力軸に固着する。そしてバネを入力軸及び出力軸の外側に入れて前記各各の軸と平行にひっかかりに噛み合ってスライド可としたスライドギヤを外側から嵌める。入力軸側にスライドギヤを雌ギヤとした時は出力軸側のスライドギヤを雄ギヤとする。雌ギヤはギヤの両端に淵を付ける。内側の淵は外側の淵より３０度角〜５０度角出を大きくする。雌ギヤは外側の方より内側の方の出を大きくする。雄ギヤは外側の方より内側の方の出を大きくする。そして各各のスライドギヤのひっかかりの凸部を入力軸と出力軸の曲げが３０度位曲がった時雌ギヤと雄ギヤが当り始めるスライドギヤの出の位置の所から止めを引いた所から取り去る。
【実施例】
【００２２】入力軸２７と出力軸２８の十字継手１側に空室３７，３８を設け空室の奥の方を回転軸凸部内側２９Ａ，３０Ａを設け空室３７，３８にバネ１０，３６を入れてスライド板８，２１を入れる。スライド板の外周は前記回転軸凸部内側２９Ａ，３０Ａと合うひっかかりとしスライド可とする。スライド板の外周の２個所又は３個所等間隔にしてスライドひっかけ１２，２０，３１，３２を固着する。ひっかけ回転軸２９，３０の回転軸凹部外側２９Ｄ，３０Ｄの所の１部に穴をあけてスライドひっかけ１２，２０，３１，３２を通して回転軸凸部外側の凸部の出まで通す。【００２３】スライド板８，２１，６２，１０２の中に空部を設けて遊部７７，７８，７９，８０，１１７，１１８，１１９，１２０に弧を設けて設ける。２つの遊部を連結体でつなぎ連結体の中程から可動凸部７５，６７，１１５，１０７を出してそして同じ位置にスライド板に固着した固定凸部６６，７２，１０６，１１２を出して各各固定凸部と可動凸部を止め板６０，７４，６５，６８，１００，１１４，１０５，１０８で挟んで遊部に外側からバネで押すそして可動クラッチ歯７，３３を固着する。【００２４】入力軸及び出力軸の空室の入口近くの内壁をなめらかにし出入止め１３，１７を設けて十字基体を入れる。十字基体にも出入止めを設けて入力軸、出力軸の出入止めに嵌める。十字基体の奥の方にクラツチ歯４，１９を固着する。十字基体の表側の方に十字持うで５，２５を２本固着する。入力軸側の十字持うで５の先端に十字継手の１方の対称棒２を回転自由に支持しそして残りの対称棒１を回転自由に出力軸側の十字持うで２５で支持する。クラツチ歯と可動クラッチ歯を３０度角位まで噛み合わせる【００２５】ひっかけ回転軸２９，３０の外周部に回転軸凸部外側２９Ｃ，３０Ｃを設ける。入力軸を出力軸が７０度曲がるとスライドギヤ各各押し合って引っ込む、スライドギヤの奥行＋バネのらせんの径の合計×１．５倍の所のバネを止めるひっかけ９をひっかけ回転軸２９，３０に固着する。バネ１１，２２を入れて回転軸凸部に合ったスライドギヤを嵌める。入力軸側の方のスライドギヤの先端と出力軸側の方のスライドギヤの先端に違うギヤを設ける。例として１方を雌ギヤとするときは他方を雄ギヤとする。雌ギヤはギヤの両端に淵を設ける。雌ギヤは外側より内側の出を３５度位大きくする。雄ギヤは外側より内側の出を３５度位大きくする。入力軸及び出力軸の２個所が３個所に回転軸凹部外側３０Ｄ，２９Ｄの先端に止め３４，３５を固着する。遊部の当り部６１，６３，７０７１，１０１，１０３，１１０，１１１と当り体６１Ａ，６３Ａ，７０Ａ，７１Ａ，１０１Ａ，１０３Ａ，１１０Ａ，１１１Ａの間の角度はクラッチ歯４，１９、及び可動クラッチ歯７，３３のピッチ角の半分以上１ピッチ以下とする。
【産業上の利用可能性】
【００２６】自動車の駆動する前輪の曲げ角度を大きくする。通常は十字継手による曲げ角なので３０度位しか曲がらないが道路をＵターンする時など３０度以上曲げ角になると十字継手に固着する十字基体の駆動が外れて回転自由になり十字継手が軸芯になって入力軸側のスライドギヤと出力軸側のスライドギヤが噛み合って回転力を伝える。
【図面の簡単な説明】
【００２７】
【図１】７０度角自在継手の全体図
【図２】Ａ−Ａ断面図
【図３】十字基体と可動クラッチ歯の中間図である。
【図４】Ｂ−Ｂ断面図
【図５】Ｃ−Ｃ断面図
【図６】Ｇ−Ｇ断面図
【図７】Ｈ−Ｈ断面図
【図８】Ｄ−Ｄ断面図
【図９】Ｅ−Ｅ断面図
【図１０】Ｆ−Ｆ断面図
【図１１】Ｊ−Ｊ断面図
【図１２】Ｋ−Ｋ断面図
【図１３】Ｌ−Ｌ断面図
【符号の説明】
【００２８】１，２                                          十字継手
３，１５                                        雌ギヤ
４，１９                                        クラッチ歯
４Ａ，１９Ａ                                    十字基体
４Ｂ，１９Ｂ                                    歯板
５，２５                                        十字持うで
６，１４，１８，２４                            スライドギヤ
７，３３                                        可動クラッチ歯
７Ａ，３３Ａ                                    可動歯板
８，２１，６２，１０２                          スライド板
９                                              ひっかけ
１０，６４，６９，１０４，１０９                バネ
１１，２２                                      バネ
１２，２０，３１，３２                          スライドひっかけ
１３，１７                                      出入止め
１６，２６                                      雄ギヤ
２７                                            入力軸
２８                                            出力軸
２９，３０                                      ひっかけ回転軸
２９Ａ，３０Ａ                                  回転軸凸部内側
２９Ｂ，３０Ｂ                                  回転軸凹部内側
２９Ｃ，３０Ｃ                                  回転軸凸部外側
２９Ｄ，３０Ｄ                                  回転軸凹部外側
６０，６５，６８，７４，８１，９６，８７，９０，止め板
１００，１０５，１０８，１１４
６１，６３，７０，７１，１０１，１０３，１１０，１１１  当り部
６６，７２，１０６，１１２，９４                固定凸部
６７，７５，９７，１０７，１１５                可動凸部
３４，３５                                      止め
７８，７７，７９，８０，１１７，１１８，１１９，１２０，８３，８５，９２，９３
遊部
６１Ａ，６３Ａ，７０Ａ，７１Ａ，１０１Ａ，１０３Ａ，１１０Ａ，１１１Ａ，
当り体
８４                                            固定板
【図１】
2007107710.tif 000003
【図２】
2007107710.tif 000004
【図３】
2007107710.tif 000005
【図４】
2007107710.tif 000006
【図５】
2007107710.tif 000007
【図６】
2007107710.tif 000008
【図７】
2007107710.tif 000009
【図８】
2007107710.tif 000010
【図９】
2007107710.tif 000011
【図１０】
2007107710.tif 000012
【図１１】
2007107710.tif 000013
【図１２】
2007107710.tif 000014
【図１３】
2007107710.tif 000015